(57)【要約】【課題】柄本体を伸縮する際に握っていた手指が滑っても、手指の滑りを止めて、鎌本体の刃部によるケガを防止可能な草刈鎌を提供する。【解決手段】先端側の第１柄部材11と基端側の第２柄部材12によって伸縮自在に構成された柄本体１と、第１柄部材11の先端部11ａに取着される鎌本体２とを、備えた草刈鎌であって、第１柄部材11の先端部11ａに、第１柄部材11を握った手指が滑って鎌本体２の刃部22に接触するのを防止する鍔部５を設けたものである。【選択図】図１
0003191019.tif 000002
【実用新案登録請求の範囲】
【請求項１】
先端側の第１柄部材（11）と基端側の第２柄部材（12）によって伸縮自在に構成された柄本体（１）と、上記第１柄部材（11）の先端部（11ａ）に取着される鎌本体（２）とを、備えた草刈鎌に於て、
上記第１柄部材（11）の先端部（11ａ）に、上記第１柄部材（11）を握った手指が滑って上記鎌本体（２）の刃部（22）に接触するのを防止する鍔部（５）を設けたことを特徴とする草刈鎌。
【請求項２】
上記鎌本体（２）の板状のシャンク部（21）に圧接する取付帯板部（31）と、該取付帯板部（31）の先端から直角に形成された起立片部（32）と、を有する一対のＬ字状部材（３）（３）を備え、
一対の上記Ｌ字状部材（３）（３）の起立片部（32）（32）が相互に反対方向に突出するように一対の上記取付帯板部（31）（31）で上記シャンク部（21）を挟持して、上記第１柄部材（11）の先端部（11ａ）に差し込んで取着して、一対の上記起立片部（32）（32）をもって上記鍔部（５）を形成した請求項１記載の草刈鎌。
【考案の詳細な説明】
【技術分野】
【０００１】
本考案は、草刈鎌に関する。
【背景技術】
【０００２】
従来、使用者側に引き寄せるようにして草を切断する草刈鎌（例えば、特許文献１参照）は、柄本体を、鎌本体が取着する先端側の第１柄部材と基端側の第２柄部材によって伸縮自在に構成したものがあった。
【先行技術文献】
【特許文献】
【０００３】
【特許文献１】特開平１０−１５０８１６号公報
【考案の概要】
【考案が解決しようとする課題】
【０００４】
しかし、柄本体を伸縮させる際、第１柄部材を握った手指が滑って、鎌本体の刃部に接触してケガをする虞れがあるという問題があった。
【０００５】
そこで、本考案は、柄本体を伸縮する際に握っていた手指が滑っても、手指の滑りを止めて、鎌本体の刃部によるケガを防止可能な草刈鎌の提供を目的とする。
【課題を解決するための手段】
【０００６】
上記目的を達成するために、本考案の草刈鎌は、先端側の第１柄部材と基端側の第２柄部材によって伸縮自在に構成された柄本体と、上記第１柄部材の先端部に取着される鎌本体とを、備えた草刈鎌に於て、上記第１柄部材の先端部に、上記第１柄部材を握った手指が滑って上記鎌本体の刃部に接触するのを防止する鍔部を設けたものである。
また、上記鎌本体の板状のシャンク部に圧接する取付帯板部と、該取付帯板部の先端から直角に形成された起立片部と、を有する一対のＬ字状部材を備え、一対の上記Ｌ字状部材の起立片部が相互に反対方向に突出するように一対の上記取付帯板部で上記シャンク部を挟持して、上記第１柄部材の先端部に差し込んで取着して、一対の上記起立片部をもって上記鍔部を形成したものである。
【考案の効果】
【０００７】
本考案によれば、柄本体を伸縮する際に、握っていた手指が滑っても、鍔部に手指が接触して滑りが止まり、鎌本体の刃部でケガをするのを防止できる。鎌本体にカバー部材やキャップ部材等の保護具を付けてから柄本体を伸縮させるような手間や時間が削減できる。従って、草刈り現場の状況に合わせて迅速かつ容易に柄本体を伸縮でき、草刈り作業全体を効率良く安全に行うことができる。
【図面の簡単な説明】
【０００８】
【図１】本考案の実施形態を示す斜視図である。
【図２】要部縦断面図である。
【図３】図２のＡ−Ａ断面図である。
【図４】要部分解斜視図である。
【図５】変形例を示す横断面図である。
【図６】使用状態を示す斜視図である。
【考案を実施するための形態】
【０００９】
以下、図示の実施形態に基づき本考案を詳説する。
本考案の草刈鎌は、図１と図２に示すように、先端側の第１柄部材11と基端側の第２柄部材12によって伸縮自在に構成された柄本体１と、第１柄部材11の先端部11ａに取着される鎌本体２と、を備えている。
【００１０】
柄本体１は、第２柄部材12の先端側筒状部12ｅに、棒状の第１柄部材11をスライド自在に挿入して、全長を伸縮固定自在としている。
【００１１】
鎌本体２は、金属製の板状であって、使用者の手前側に引き寄せて草木を切断するための刃部22と、第１柄部材11の先端部11ａに差し込まれる板状のシャンク部21と、を有している。シャンク部21は、取着用貫孔21ｇ，21ｇを２つ有している。
【００１２】
そして、図２乃至図４に示すように、第１柄部材11の先端部11ａに、鎌本体２のシャンク部21と共に一対の板状のＬ字状部材３，３を取着している。
Ｌ字状部材３は、シャンク部21の取着用の貫孔21ｇ，21ｇに対応する２つの貫通孔31ｇ，31ｇを有する取付帯板部31と、取付帯板部31から直交状に連設（直角に形成）された板状の起立片部32と、を有している。
【００１３】
そして、一対のＬ字状部材３，３の起立片部32，32が相互に反対方向に突出するように配設し、一対の取付帯板部31，31でシャンク部21を挟持し、第１柄部材11の先端面から凹設した差込凹部11ｂに差し込んでいる。
一対の取付帯板部31，31は、起立片部32が第１柄部材11の先端面に当接するまで、シャンク部21と共に差し込まれる。
【００１４】
そして、第１柄部材11の先端部11ａを貫通する２つの取着用孔11ｇ，11ｇと、取付帯板部31の２つの貫通孔31ｇ，31ｇ及びシャンク部21の２つの貫孔21ｇ，21ｇが夫々連通し、ボルト部材からなる軸状部材81を串差し状に挿通させ、ナット部材82を螺着し、取付帯板部31をシャンク部21に圧接させて、取着している。
【００１５】
なお、図１と図３及び図４に於て、第１柄部材11の差込凹部11ｂを矩形状孔部とした例を図示しているが、図５に示す他例のように、差込凹部11ｂを、シャンク部21の幅方向Ｗに開口するスリット状溝部としても良い。また、第１柄部材11の先端部11ａは、図例のような差込凹部11ｂを有する中実棒状に限らず、パイプ部と、差込凹部11ｂを有すると共にそのパイプ部に内嵌される詰め部材と、から成るように構成しても良い。
また、起立片部32，32は、その先端部が、第１柄部材11の外周面11ｄよりもラジアル外方側に配設される形状であれば、図例のように、先端縁が円弧状の全体丸山型（舌型）に限らず、全体半円型や全体矩形型等自由である。
【００１６】
上述のように、第１柄部材11に鎌本体２と共に一対のＬ字状部材３，３を取着して、第１柄部材11の先端部11ａ（先端）に設けた一対の起立片部32，32をもって、図６に示すように柄本体１を伸縮させる際に第１柄部材11を握った手指が矢印Ｙ方向に滑って鎌本体２の刃部22に接触するのを防止する鍔部５を、形成している。
鍔部５は、第１柄部材11の軸心Ｌに直交状の平面と平行に配設される。そして、第１柄部材11の外周面11ｄよりもラジアル外方側に配設される当り部51を有している。言い換えると、第１柄部材11の軸心Ｌ方向からみて外周面11ｄから突出状の当り部51を有している（図３及び図５参照）。
【００１７】
例えば、第１柄部材11を把持した手指が、柄本体１を伸長させるため、第１柄部材11を第２柄部材12から引き出す力作業を行った際、或いは、短縮させるために、握力を弱めて、第１柄部材11を送りながら第２柄部材12に挿入する作業を行った際に、手指が滑って、刃部22と手指が相互に接近しようとしても、手指と鍔部５の当り部51が接触して、第１柄本体11の先端面よりも刃部22側へ手指が移動するのを阻止する。
従って、刃部22によるケガに限らず、鎌本体２において第１柄部材11から突出している全ての部位によるケガも防止できる。
【００１８】
また、起立片部32は、シャンク部21や取付帯板部31と同じ幅寸法をもってシャンク部21や取付帯板部31の厚み方向Ｔに突出する形状、言い換えると、シャンク部21や取付帯板部31の側縁よりも幅方向外方側に配設される部位を省略した形状とすることで、使用者側の手前側に引き寄せて草を切断する作業の際に鍔部５が邪魔とならない。つまり、平面視Ｌ字状やＴ字状の鎌本体２に好適である。
【００１９】
なお、本考案は設計変更可能であって、軸状部材81をリベット部材とし第１柄部材11を挿通した端部を圧潰して、リベット止めにて鎌本体２とＬ字状部材３を取着しても良い。また、軸状部材81をピン部材として圧入で取着しても良い。第１柄部材11の取着用孔11ｇ，11ｇと、取付帯片部31の貫通孔31ｇ，31ｇと、シャンク部21の貫孔21ｇ，21ｇの数は自由である。なお、鎌本体２の形状は、図例に限らず自由である。また、Ｌ字状部材３は、樹脂成形品や金属プレス加工品、木工品等、手指が接触した際に変形や損傷しない強度を有していれば、材質や製造手段は自由である。また、起立片部32を、シャンク部21や取付帯板部31の側縁部よりも幅広に形成するも好ましい（図示省略）。
【００２０】
以上のように、本考案の草刈鎌は、先端側の第１柄部材11と基端側の第２柄部材12によって伸縮自在に構成された柄本体１と、第１柄部材11の先端部11ａに取着される鎌本体２とを、備えた草刈鎌に於て、第１柄部材11の先端部11ａに、第１柄部材11を握った手指が滑って鎌本体２の刃部22に接触するのを防止する鍔部５を設けたので、柄本体１を伸縮する際に、握っていた手指が滑っても、鍔部５に手指が接触して滑りが止まり、鎌本体２の刃部22でケガをするのを防止できる。鎌本体２に保護具を付けてから柄本体１を伸縮させる手間や時間が削減できる。草刈り現場の状況に合わせて迅速かつ安全に柄本体１を伸縮でき、草刈り作業全体を効率良く安全に行うことができる。
【００２１】
また、鎌本体２の板状のシャンク部21に圧接する取付帯板部31と、取付帯板部31の先端から直角に形成された起立片部32と、を有する一対のＬ字状部材３，３を備え、一対のＬ字状部材３，３の起立片部32，32が相互に反対方向に突出するように一対の取付帯板部31，31でシャンク部21を挟持して、第１柄部材11の先端部11ａに差し込んで取着して、一対の起立片部32，32をもって鍔部５を形成したので、鎌本体２とＬ字状部材３の組付けを容易かつ迅速に行うことができる。鎌本体２の取付けと鍔部５の形成を同工程で行うことができ製造全体の効率を向上できる。既存の柄伸縮草刈鎌に鍔部５を容易に形成できる。
【符号の説明】
【００２２】
１  柄本体
２  鎌本体
３  Ｌ字状部材
５  鍔部
11  第１柄部材
11ａ  先端部
12  第２柄部材
21  シャンク部
22  刃部
31  取付帯板部
32  起立片部
【図１】
0003191019.tif 000003
【図２】
0003191019.tif 000004
【図３】
0003191019.tif 000005
【図４】
0003191019.tif 000006
【図５】
0003191019.tif 000007
【図６】
0003191019.tif 000008